(57)【特許請求の範囲】
【請求項１】
装置本体と、
前記装置本体内に配置され、シートをニップして搬送する搬送ローラー対と、
前記搬送ローラー対が回転駆動するための駆動力を第１駆動源から前記搬送ローラー対に伝達する回転駆動力伝達機構と、
前記搬送ローラー対を構成する一方のローラーを他方のローラーに対して押圧することにより前記搬送ローラー対にニップ力を付与する押圧機構と、
第２駆動源から前記押圧機構に駆動力を伝達するニップ駆動力伝達機構と、
前記装置本体の一側面に開閉可能に設けられるカバー部材と、
前記カバー部材の開動作に連動して、前記回転駆動力伝達機構および前記ニップ駆動力伝達機構の駆動力伝達を解除する解除機構と、
を備え、
前記ニップ駆動力伝達機構は、前記第２駆動源からの回転駆動力が伝達される上流側伝達部材と、前記上流側伝達部材からの回転駆動力を前記押圧機構に伝達する下流側伝達部材と、前記上流側伝達部材および前記下流側伝達部材が固定される軸部と、を含み、
前記上流側伝達部材が前記軸部の軸方向に移動することにより、前記下流側伝達部材と前記押圧機構とが連結または連結解除されることを特徴とする画像形成装置。
【請求項２】
前記解除機構は、前記カバー部材の開動作に連動して前記カバー部材の開放方向に移動するとともに、前記上流側伝達部材を前記軸部の軸方向に移動させるための解除レバーと、前記解除レバーを前記カバー部材に向かって付勢する解除バネと、を含むことを特徴とする請求項１に記載の画像形成装置。
【請求項３】
前記解除レバーの移動に連動して前記上流側伝達部材を移動させる当接片を備え、
前記解除レバーには、前記当接片に接触可能な傾斜部が形成されており、
前記カバー部材の開動作に連動して前記カバー部材の開放方向に前記解除レバーが移動することによって、前記当接片が前記傾斜部に押圧されて前記上流側伝達部材を前記解除レバーの移動方向と略直交する方向に移動させることを特徴とする請求項２に記載の画像形成装置。
【請求項４】
前記回転駆動力伝達機構および前記ニップ駆動力伝達機構が取り付けられるフレームを備え、
前記ニップ駆動力伝達機構の上流側伝達部材は、前記フレームの一方面側に配置され、
前記ニップ駆動力伝達機構の下流側伝達部材、前記回転駆動力伝達機構および前記解除レバーは、前記フレームの他方面側に配置され、
前記解除レバーには、前記フレームの開口部を介して前記一方面側に突出し、前記カバー部材の開動作に連動して前記上流側伝達部材を移動させるための突出部が形成されていることを特徴とする請求項２または３に記載の画像形成装置。
【発明の詳細な説明】
【技術分野】
【０００１】
本発明は、画像形成装置に関し、特に、シートを搬送する搬送ローラー対と、搬送ローラー対に駆動力を伝達する駆動力伝達機構と、を備えた画像形成装置に関するものである。
【背景技術】
【０００２】
従来、装置本体内に配置され、用紙（シート）をニップして搬送する定着ローラー対などの搬送ローラー対を備えた画像形成装置が知られている。このような画像形成装置では、搬送ローラー対が回転駆動するための駆動力を駆動源から搬送ローラー対に伝達する回転駆動力伝達機構と、搬送ローラー対を押圧することにより搬送ローラー対にニップ力を付与する押圧機構と、駆動源から押圧機構に駆動力を伝達するニップ駆動力伝達機構と、が設けられる。
【０００３】
ところで、搬送ローラー対で用紙ジャムが発生した場合や、搬送ローラー対を装置本体から取り外す場合には、回転駆動力伝達機構の駆動力伝達を解除したり、ニップ駆動力伝達機構の駆動力伝達を解除したりする必要がある。
【０００４】
なお、カバー部材の開動作に連動して回転駆動力伝達機構の駆動力伝達を解除する解除機構を備えた画像形成装置は、例えば特許文献１に開示されている。
【先行技術文献】
【特許文献】
【０００５】
【特許文献１】特開２０１１−２０３５２８号公報
【発明の概要】
【発明が解決しようとする課題】
【０００６】
しかしながら、従来の画像形成装置では、搬送ローラー対で用紙ジャムが発生した場合や、搬送ローラー対を装置本体から取り外す場合に、回転駆動力伝達機構の駆動力伝達の解除とニップ駆動力伝達機構の駆動力伝達の解除とを別々に行う必要があるので、解除作業が煩雑であるという問題点があった。
【０００７】
本発明は、上記のような課題を解決するためになされたものであり、本発明の目的は、回転駆動力伝達機構の駆動力伝達の解除とニップ駆動力伝達機構の駆動力伝達の解除とを１つの解除作業で行うことによって、解除作業を簡単にすることが可能な画像形成装置を提供することである。
【課題を解決するための手段】
【０００８】
上記目的を達成するために、本発明の第１の構成の画像形成装置は、装置本体と、装置本体内に配置され、シートをニップして搬送する搬送ローラー対と、搬送ローラー対が回転駆動するための駆動力を第１駆動源から搬送ローラー対に伝達する回転駆動力伝達機構と、搬送ローラー対を構成する一方のローラーを他方のローラーに対して押圧することにより搬送ローラー対にニップ力を付与する押圧機構と、第２駆動源から押圧機構に駆動力を伝達するニップ駆動力伝達機構と、装置本体の一側面に開閉可能に設けられるカバー部材と、カバー部材の開動作に連動して、回転駆動力伝達機構およびニップ駆動力伝達機構の駆動力伝達を解除する解除機構と、を備える。
【発明の効果】
【０００９】
本発明の第１の構成によれば、回転駆動力伝達機構およびニップ駆動力伝達機構の駆動力伝達を解除する解除機構を備える。これにより、例えば搬送ローラー対で用紙ジャムが発生した場合や、搬送ローラー対を装置本体から取り外す場合に、１つの解除機構を操作することによって、回転駆動力伝達機構の駆動力伝達の解除とニップ駆動力伝達機構の駆動力伝達の解除との両方を行うことができるので、解除作業を簡単にすることができる。
【００１０】
また、解除機構は、カバー部材の開動作に連動して、回転駆動力伝達機構およびニップ駆動力伝達機構の駆動力伝達を解除する。これにより、カバー部材を開くだけで２つの駆動力伝達を解除することができるので、解除作業をより簡単にすることができる。
【図面の簡単な説明】
【００１１】
【図１】本発明の一実施形態の画像形成装置の構造を概略的に示した断面図である。
【図２】本発明の一実施形態の画像形成装置の定着装置の定着ローラー対および押圧機構の構造を示した図である。
【図３】本発明の一実施形態の画像形成装置の定着装置の定着ローラー対および押圧機構の構造を示した図である。
【図４】本発明の一実施形態の画像形成装置の回転駆動力伝達機構、ニップ駆動力伝達機構および解除機構周辺の構造をフレームの一方面側から示した斜視図である。
【図５】本発明の一実施形態の画像形成装置の回転駆動力伝達機構、ニップ駆動力伝達機構および解除機構周辺の構造をフレームの他方面側から示した斜視図である。
【図６】本発明の一実施形態の画像形成装置の第１伝達装置の構造を示した分解図である。
【図７】本発明の一実施形態の画像形成装置の第１伝達装置の構造を示した図であり、入力ギアと連結部材とが係合している状態を示した図である。
【図８】本発明の一実施形態の画像形成装置の第１伝達装置の構造を示した図であり、入力ギアと連結部材とが係合していない状態を示した図である。
【図９】本発明の一実施形態の画像形成装置の第２伝達装置周辺の構造を示した図であり、第３付勢部材の付勢力によってカップリング部が左方向（装置本体の内側）に移動された状態を示した図である。
【図１０】本発明の一実施形態の画像形成装置の第２伝達装置周辺の構造を示した図であり、当接片によって第２伝達装置の入力ギアが右方向（装置本体の外側）に移動された状態を示した図である。
【図１１】本発明の一実施形態の画像形成装置の解除機構周辺の構造をフレームの他方面側から示した図である。
【図１２】本発明の一実施形態の画像形成装置の解除機構の構造を示した斜視図である。
【図１３】本発明の一実施形態の画像形成装置の当接片周辺の構造をフレームの一方面側から示した斜視図である。
【発明を実施するための形態】
【００１２】
以下、本発明の実施形態について図面を参照して説明する。
【００１３】
図１〜図１３を参照して、本発明の一実施形態による定着装置１３を備えた画像形成装置１００について説明する。
【００１４】
画像形成装置１００（ここではカラープリンター）は、本実施形態では、異なる４色（イエロー、シアン、マゼンタおよびブラック）に対応する４つの感光体ドラム（像担持体）１ａ、１ｂ、１ｃおよび１ｄを並列配置して画像形成を行う、４連タンデム型のカラープリンターである。
【００１５】
画像形成装置１００の装置本体内には、４つの画像形成部Ｐａ、Ｐｂ、ＰｃおよびＰｄが、図１では左側から順に配設されている。これらの画像形成部Ｐａ〜Ｐｄは、異なる４色（イエロー、シアン、マゼンタおよびブラック）の画像に対応して設けられており、それぞれ帯電、露光、現像および転写の各工程によりイエロー、シアン、マゼンタおよびブラックの画像を順次形成する。
【００１６】
これらの画像形成部Ｐａ〜Ｐｄには、各色の可視像（トナー像）を担持する感光体ドラム１ａ〜１ｄがそれぞれ配設されており、さらに図１において反時計回りに回転する中間転写ベルト８が各画像形成部Ｐａ〜Ｐｄに隣接して設けられている。これらの感光体ドラム１ａ〜１ｄ上に形成されたトナー像が、各感光体ドラム１ａ〜１ｄに当接しながら移動する中間転写ベルト８上に順次転写された後、二次転写ローラー９において用紙（シート）Ｐ上に一度に転写され、さらに、定着装置１３において記録媒体の一例としての用紙Ｐ上に定着された後、装置本体より排出される。感光体ドラム１ａ〜１ｄを図１において時計回りに回転させながら、各感光体ドラム１ａ〜１ｄに対する画像形成プロセスが実行される。
【００１７】
トナー像が転写される用紙Ｐは、装置下部の用紙カセット１６内に収容されており、給紙ローラー１２ａおよびレジストローラー対１２ｂを介して二次転写ローラー９へと搬送される。中間転写ベルト８には誘電体樹脂製のシートが用いられ、継ぎ目を有しない（シームレス）ベルトが主に用いられる。中間転写ベルト８および二次転写ローラー９は、ベルト駆動モーター（図示せず）により感光体ドラム１ａ〜１ｄと同一線速で回転駆動される。また、二次転写ローラー９の下流側には中間転写ベルト８表面に残存するトナー等を除去するためのブレード状のベルトクリーナー１７が配置されている。
【００１８】
次に、画像形成部Ｐａ〜Ｐｄについて説明する。回転可能に配設された感光体ドラム１ａ〜１ｄの周囲および下方には、感光体ドラム１ａ〜１ｄを帯電させる帯電装置２ａ、２ｂ、２ｃおよび２ｄと、各感光体ドラム１ａ〜１ｄに対して画像データに基づく露光を行う露光ユニット５と、感光体ドラム１ａ〜１ｄ上に形成される静電潜像をトナーで現像する現像ユニット３ａ、３ｂ、３ｃおよび３ｄと、感光体ドラム１ａ〜１ｄ上でトナー像の転写後に残留した現像剤（トナー）を回収、除去するクリーニング装置７ａ、７ｂ、７ｃおよび７ｄとが設けられている。
【００１９】
パソコン等の上位装置から画像データが入力されると、先ず、帯電装置２ａ〜２ｄによって感光体ドラム１ａ〜１ｄの表面を一様に帯電させ、次いで露光ユニット５によって画像データに基づいて光照射し、各感光体ドラム１ａ〜１ｄ上に画像データに応じた静電潜像を形成する。現像ユニット３ａ〜３ｄは、感光体ドラム１ａ〜１ｄに対向配置された現像ローラーを備え、それぞれイエロー、シアン、マゼンタ及びブラックの各色のトナーを含む二成分現像剤が所定量充填されている。
【００２０】
なお、後述のトナー像の形成によって各現像ユニット３ａ〜３ｄ内に充填された二成分現像剤中のトナーの割合が規定値を下回った場合にはトナーコンテナ４ａ〜４ｄから各現像ユニット３ａ〜３ｄにトナーが補給される。このトナーは、現像ユニット３ａ〜３ｄにより感光体ドラム１ａ〜１ｄ上に供給され、静電的に付着することにより、露光ユニット５の露光により形成された静電潜像に応じたトナー像が形成される。
【００２１】
そして、一次転写ローラー６ａ〜６ｄにより一次転写ローラー６ａ〜６ｄと感光体ドラム１ａ〜１ｄとの間に所定の転写電圧で電界が付与され、感光体ドラム１ａ〜１ｄ上のイエロー、シアン、マゼンタおよびブラックのトナー像が中間転写ベルト８上に一次転写される。これらの４色の画像は、所定のフルカラー画像形成のために予め定められた所定の位置関係をもって形成される。その後、引き続き行われる新たな静電潜像の形成に備え、感光体ドラム１ａ〜１ｄの表面に残留したトナーがクリーニング装置７ａ〜７ｄにより除去される。
【００２２】
中間転写ベルト８は、従動ローラー１０及び駆動ローラー１１に掛け渡されており、上記ベルト駆動モーターによる駆動ローラー１１の回転に伴い中間転写ベルト８が反時計回りに回転を開始すると、用紙Ｐがレジストローラー対１２ｂから所定のタイミングで中間転写ベルト８に隣接して設けられた二次転写ローラー９と中間転写ベルト８とのニップ部（二次転写ニップ部）へ搬送され、ニップ部において用紙Ｐ上にフルカラー画像が二次転写される。トナー像が転写された用紙Ｐは定着装置１３へと搬送される。
【００２３】
定着装置１３に搬送された用紙Ｐは、加熱ローラー（加熱回転体）３１と加圧ローラー（加圧回転体）３２とで構成される定着ローラー対３０の定着ニップ部Ｎ（図２参照）によって搬送される際に加熱および加圧されてトナー像が用紙Ｐの表面に定着され、所定のフルカラー画像が形成される。フルカラー画像が形成された用紙Ｐは、搬送ローラー対１５を経て用紙搬送路１８の分岐部に配置された分岐部材２１によって搬送方向が振り分けられ、そのまま（或いは、両面搬送路２２に送られて両面コピーされた後に）、排出ローラー対１９を介して排出トレイ２０に排出される。なお、定着ローラー対３０は、本発明の「搬送ローラー対」の一例である。
【００２４】
用紙搬送路１８は、具体的には、搬送ローラー対１５の下流側において左右二股に分岐し、一方の経路（図１では左方向に分岐する経路）は排出トレイ２０に連通するように構成されている。そして、他方の経路（図１では右方向に分岐する経路）は両面搬送路２２に連通するように構成されている。用紙Ｐの両面に画像を形成する場合は、定着装置１３を通過した用紙Ｐの一部を一旦排出ローラー対１９から装置外部にまで突出させる。
【００２５】
その後、排出ローラー対１９を逆回転させるとともに分岐部材２１を略水平に揺動させることにより、用紙Ｐは分岐部材２１の上面に沿って両面搬送路２２へ案内され、画像面を反転させた状態で二次転写ローラー９に再搬送される。そして、中間転写ベルト８上に形成された次の画像が二次転写ローラー９により用紙Ｐの画像が形成されていない面に転写され、定着装置１３に搬送されてトナー像が定着された後、排出トレイ２０に排出される。
【００２６】
図２および図３に示すように、定着装置１３は、加熱ローラー３１および加圧ローラー３２からなる定着ローラー対３０と、定着ローラー対３０にニップ力を付与する押圧機構４０と、を含む定着ユニットを備えている。
【００２７】
加熱ローラー３１は、熱伝導性に優れたアルミニウムや鉄等の金属から成る円筒形状の芯金上に、離型性に優れるＰＦＡ（テトラフルオロエチレン−パーフルオロアルキルビニルエーテル共重合体）等のフッ素系樹脂をコーティングした、いわゆるハードローラーが用いられており、芯金の内部には図示しないハロゲンヒーター等の熱源が設けられている。また、加熱ローラー３１の一方端部には、回転駆動力が入力される入力ギア３１ａが設けられている。
【００２８】
加圧ローラー３２は、合成樹脂、金属その他材料から構成される円筒形状の基材上にシリコンゴム等の弾性層が形成され、この弾性層の表面がフッ素系樹脂等の離型性に優れた樹脂で覆われたものが用いられている。
【００２９】
加熱ローラー３１と加圧ローラー３２は、互いに所定の圧力で圧接し、且つ平行となるように配置されている。そして、加熱ローラー３１と加圧ローラー３２との定着ニップ部Ｎへと搬送される用紙Ｐを、加熱及び加圧することにより粉体状態のトナーを溶融定着させるよう構成されている。
【００３０】
押圧機構４０は、加圧ローラー３２の少なくとも一方端部に設けられている。押圧機構４０は、加圧ローラー３２の回転軸３２ａを回転可能に支持する軸受部材４１と、軸受部材４１から所定の間隔を隔てて配置される被押圧片４２と、圧縮バネからなる第１付勢部材４３と、偏芯カム４４と、によって構成されている。
【００３１】
軸受部材４１には、回転軸３２ａと直交する方向（図２の右方向）に突出する突出部４１ａが形成されている。被押圧片４２には、突出部４１ａに向かって突出する突出部４２ａが形成されている。そして、第１付勢部材４３は、突出部４１ａおよび４２ａに巻装され、軸受部材４１および被押圧片４２を互いに離間する方向に付勢する。偏芯カム４４は、被押圧片４２を軸受部材４１に向かって押圧する。偏芯カム４４は、回転軸４４ａを中心として回転することによって、被押圧片４２と軸受部材４１との間の距離を変更する。偏芯カム４４が図２の位置に配置されると、第１付勢部材４３の付勢力は最大になり、ニップ部Ｎのニップ力は最大になる。一方、偏芯カム４４が図３の位置に配置されると、第１付勢部材４３の付勢力は最小になり、ニップ部Ｎのニップ力は最小になる。
【００３２】
加熱ローラー３１および加圧ローラー３２の軸方向の一方側（図２の紙面に対して奥側）には図４および図５に示すように、第１駆動モーター（第１駆動源）５１と、第２駆動モーター（第２駆動源）５２と、第１駆動モーター５１から定着ローラー対３０に駆動力を伝達する回転駆動力伝達機構６０と、第２駆動モーター５２から押圧機構４０に駆動力を伝達するニップ駆動力伝達機構７０と、解除機構８０と、これらが固定される板金製のフレーム５０と、が設けられている。
【００３３】
第１駆動モーター５１は、フレーム５０の一方面（外側の面）５０ａに固定されており、ギア部５１ａは、フレーム５０の貫通穴を介して他方面（内側の面）５０ｂ側に突出している。
【００３４】
第２駆動モーター５２は、フレーム５０の一方面５０ａに取り付けられた板金５３に固定されている。
【００３５】
回転駆動力伝達機構６０は、フレーム５０の他方面５０ｂに配置されている。回転駆動力伝達機構６０は、２段ギアからなる中間ギア６１と、中間ギア６１に係合する中間ギア６２と、駆動力の伝達および伝達解除が可能な第１伝達装置６３と、によって構成されている。
【００３６】
中間ギア６１は、第１駆動モーター５１のギア部５１ａに係合し、第１駆動モーター５１から回転駆動力が入力される大径部６１ａと、大径部６１ａと一体で形成され中間ギア６２に係合する小径部６１ｂと、を含んでいる。
【００３７】
中間ギア６２は、中間ギア６１からの回転駆動力を第１伝達装置６３に伝達する。
【００３８】
第１伝達装置６３は図６〜図８に示すように、中間ギア６２に係合し中間ギア６２からの回転駆動力が入力される入力ギア６３ａと、入力ギア６３ａに係合する連結部材６３ｂと、連結部材６３ｂに係合し入力ギア６３ａからの回転駆動力を加熱ローラー３１の入力ギア３１ａ（図２参照）に出力する出力ギア６３ｃと、入力ギア６３ａと連結部材６３ｂとの間に配置される圧縮バネからなる第２付勢部材６３ｄと、これらが取り付けられる軸部６３ｅと、を含んでいる。
【００３９】
軸部６３ｅは、フレーム５０の他方面５０ｂに固定されているとともに、入力ギア６３ａ、連結部材６３ｂおよび出力ギア６３ｃを回転可能に支持している。入力ギア６３ａには、突起部６３ａａが設けられており、出力ギア６３ｃには、突起部６３ｃａが設けられている。連結部材６３ｂには、突起部６３ａａに係合する突起部６３ｂａと、突起部６３ｃａに係合する突起部６３ｂｂと、が設けられている。また、入力ギア６３ａの突起部６３ａａとは反対側の部分には、円錐台状部６３ａｂが設けられている。
【００４０】
入力ギア６３ａは、後述するように解除機構８０によって図７の位置と図８の位置とに選択配置される。入力ギア６３ａが図７の位置に配置された状態では、突起部６３ａａと突起部６３ｂａとが係合するとともに、突起部６３ｂｂと突起部６３ｃａとが係合するため、入力ギア６３ａに入力された回転駆動力は、連結部材６３ｂを介して出力ギア６３ｃに伝達され、出力ギア６３ｃから加熱ローラー３１に出力される。その一方、入力ギア６３ａが図８の位置に配置された状態では、突起部６３ａａと突起部６３ｂａとの係合が解除されるため、入力ギア６３ａに入力された回転駆動力は、出力ギア６３ｃに伝達されない。なお、第２付勢部材６３ｄによって連結部材６３ｂは出力ギア６３ｃに向かって付勢されているので、突起部６３ｂｂと突起部６３ｃａとは常時係合している。
【００４１】
ニップ駆動力伝達機構７０は図４および図５に示すように、第２駆動モーター５２からの回転駆動力を押圧機構４０に伝達するものであり、複数の中間ギア７１と、中間ギア７１からの回転駆動力を押圧機構４０に伝達する第２伝達装置７２と、によって構成されている。
【００４２】
複数の中間ギア７１は、第２駆動モーター５２からの回転駆動力を第２伝達装置７２に伝達する駆動力伝達列を構成している。
【００４３】
第２伝達装置７２は図９および図１０に示すように、中間ギア７１に係合し中間ギア７１からの回転駆動力が入力される入力ギア（上流側伝達部材）７２ａと、入力ギア７２ａからの回転駆動力を押圧機構４０に出力するカップリング部（下流側伝達部材）７２ｂと、カップリング部７２ｂとフレーム５０の他方面５０ｂとの間に配置される圧縮バネからなる第３付勢部材７２ｃと、これらが取り付けられる軸部７２ｄと、を含んでいる。
【００４４】
軸部７２ｄは、軸部７２ｄの軸方向に移動可能に、フレーム５０および板金５３に軸受を介して取り付けられているとともに、フレーム５０および板金５３を貫通している。
【００４５】
入力ギア７２ａは、フレーム５０の一方面５０ａ側に配置されているとともに、軸部７２ｄに固定され、軸部７２ｄと一体で回転する。カップリング部７２ｂは、フレーム５０の他方面５０ｂ側に配置されているとともに、軸部７２ｄに固定され、軸部７２ｄと一体で回転する。このため、入力ギア７２ａが回転すると、カップリング部７２ｂも回転する。
【００４６】
また、入力ギア７２ａおよびカップリング部７２ｂは、軸部７２ｄと一体で軸部７２ｄの軸方向（図９の左右方向、後述する解除レバー８１の移動方向と直交する方向）に移動し、図９の位置と図１０の位置とに選択配置されるように構成されている。第３付勢部材７２ｃの付勢力によってカップリング部７２ｂが図９の位置に配置された状態では、カップリング部７２ｂは押圧部材４０の偏芯カム４４の回転軸４４ａ（図２参照）に設けられた図示しないカップリング部と係合（連結）するため、入力ギア７２ａに入力された回転駆動力は、偏芯カム４４に伝達される。その一方、後述する当接片９２によって入力ギア７２ａが図１０の位置に配置された状態では、カップリング部７２ｂと押圧部材４０の偏芯カム４４の回転軸４４ａに設けられた図示しないカップリング部との係合（連結）が解除されるため、入力ギア７２ａに入力された回転駆動力は、偏芯カム４４に伝達されない。
【００４７】
解除機構８０は、後述するカバー部材１００ａの開動作に連動して、回転駆動力伝達機構６０およびニップ駆動力伝達機構７０の駆動力伝達を解除するものである。具体的には、解除機構８０は図１１に示すように、フレーム５０の他方面５０ｂ側に配置され、水平方向（図１１の左右方向）に往復移動可能な解除レバー８１と、解除レバー８１を図１１の右方向に付勢する圧縮バネからなる第４付勢部材（解除バネ）８２と、によって構成されている。
【００４８】
解除レバー８１は図１１および図１２に示すように、第４付勢部材８２の一部を収納する収納部８１ａと、中間ギア６２の軸部が挿通される開口部８１ｂと、第１伝達装置６３の軸部６３ｅが挿通される開口部８１ｃと、収納部８１ａとは反対側の端部に設けられる当接部８１ｄと、他の部分に比べて外側（フレーム５０の一方面５０ａ側）に突出する突出傾斜部（傾斜部、突出部）８１ｅと、を含んでいる。
【００４９】
開口部８１ｂおよび８１ｃは、解除レバー８１の図１１の左右方向の移動を許容するように、図１１の左右方向に延びるように形成されている。
【００５０】
当接部８１ｄは、装置本体の一側面に開閉可能に設けられるカバー部材１００ａが閉じた状態（図１１の状態）で、カバー部材１００ａに押圧される。カバー部材１００ａが閉じられた状態（図１１の状態）では、解除レバー８１は第４付勢部材８２を圧縮する位置に配置される。一方、カバー部材１００ａが開かれると、解除レバー８１は、第４付勢部材８２の付勢力によって図１１の位置から右方向（カバー部材１００ａの開放方向）に向かって移動する。
【００５１】
また、開口部８１ｃは、第４付勢部材８２から遠い側に配置され、軸部６３ｅをガイドするガイド部８１ｃａと、第４付勢部材８２から近い側に配置され、入力ギア６３ａの円錐台状部６３ａｂが入り込む受入部８１ｃｂと、を有する。このため、カバー部材１００ａが閉じて解除レバー８１が図１１の位置に配置された状態では、軸部６３ｅはガイド部８１ｃａ内に配置されるので、第１伝達装置６３は図７の状態になり、入力ギア６３ａに入力された回転駆動力は出力ギア６３ｃに伝達される。一方、カバー部材１００ａが開いて解除レバー８１が図１１の位置から右方向に移動された状態では、円錐台状部６３ａｂは受入部８１ｃｂに入り込むので、第１伝達装置６３は図８の状態になり、入力ギア６３ａに入力された回転駆動力は出力ギア６３ｃに伝達されない。
【００５２】
突出傾斜部８１ｅは、傾斜面８１ｅａを有するとともに、フレーム５０の開口部５０ｃを介して一方面５０ａ側（図１１の紙面に対して奥側）に突出する。
【００５３】
フレーム５０の一方面５０ａには図１３に示すように、開口部５０ｃの近傍に保持部材９１が固定されている。保持部材９１は、当接片９２の回動軸９２ａを回動可能に保持している。
【００５４】
当接片９２の一部は、開口部５０ｃを臨む位置（開口部５０ｃに対向する位置）に配置されており、解除レバー８１がカバー部材１００ａの方向（図１３の左方向）に移動すると、突出傾斜部８１ｅの傾斜面８１ｅａが当接片９２を図１０の右方向に押圧する。
【００５５】
当接片９２には、第２伝達装置７２の軸部７２ｄよりも径が大きく、第２伝達装置７２の軸部７２ｄが挿通される開口部９２ｂ（図１３参照）が形成されている。また、当接片９２は、フレーム５０の一方面５０ａと第２伝達装置７２の入力ギア７２ａとの間に配置されており、当接片９２が回動軸９２ａを中心として回動することにより、入力ギア７２ａが軸部７２ｄの軸方向に移動する。
【００５６】
カバー部材１００ａが閉じて解除レバー８１が図１１の位置に配置された状態では、突出傾斜部８１ｅは当接片９２に接触しないので、第３付勢部材７２ｃの付勢力によってカップリング部７２ｂが図９の位置に配置された状態になり、入力ギア７２ａに入力された回転駆動力は、偏芯カム４４に伝達される。一方、カバー部材１００ａが開いて解除レバー８１が図１１の位置から右方向に移動された状態では、突出傾斜部８１ｅの傾斜面８１ｅａが当接片９２を図９の右方向に押圧するので、当接片９２によって入力ギア７２ａが図１０の位置に配置された状態になり、入力ギア７２ａに入力された回転駆動力は、偏芯カム４４に伝達されない。
【００５７】
本実施形態では、上記のように、回転駆動力伝達機構６０およびニップ駆動力伝達機構７０の駆動力伝達を解除する解除機構８０を備える。これにより、例えば定着ローラー対３０で用紙ジャムが発生した場合や、定着ローラー対３０および押圧機構４０を含む定着ユニットを装置本体から取り外す場合に、１つの解除機構８０を操作することによって、回転駆動力伝達機構６０の駆動力伝達の解除とニップ駆動力伝達機構７０の駆動力伝達の解除との両方を行うことができるので、解除作業を簡単にすることができる。
【００５８】
また、解除機構８０は、カバー部材１００ａの開動作に連動して、回転駆動力伝達機構６０およびニップ駆動力伝達機構７０の駆動力伝達を解除する。これにより、カバー部材１００ａを開くだけで２つの駆動力伝達を解除することができるので、解除作業をより簡単にすることができる。
【００５９】
また、上記のように、ニップ駆動力伝達機構７０の第２伝達装置７２は、第２駆動モーター５２からの回転駆動力が伝達される入力ギア７２ａと、回転駆動力を押圧機構４０に伝達するカップリング部７２ｂと、入力ギア７２ａおよびカップリング部７２ｂが固定される軸部７２ｄと、を含み、入力ギア７２ａが軸部７２ｄの軸方向に移動することにより、カップリング部７２ｂと押圧機構４０とが連結または連結解除される。これにより、ニップ駆動力伝達機構７０の駆動力伝達の解除を容易に行うことができる。
【００６０】
また、上記のように、解除機構８０は、解除レバー８１と、解除レバー８１をカバー部材１００ａに向かって付勢する第４付勢部材８２と、を含む。これにより、カバー部材１００ａの開動作に連動して解除レバー８１が移動し、入力ギア７２ａが軸部７２ｄの軸方向に移動するので、ニップ駆動力伝達機構７０の駆動力伝達の解除をより容易に行うことができる。
【００６１】
また、上記のように、カバー部材１００ａの開放方向に解除レバー８１が移動することによって、当接片９２が突出傾斜部８１ｅの傾斜面８１ｅａに押圧されて入力ギア７２ａを図１０の右方向（解除レバー８１の移動方向と直交する方向）に移動させる。これにより、解除レバー８１の移動方向と軸部７２ｄの軸方向とが直交する場合であっても、解除レバー８１の移動により、入力ギア７２ａを軸部７２ｄの軸方向に容易に移動させることができる。
【００６２】
また、上記のように、解除機構８０には、フレーム５０の開口部５０ｃを介して一方面５０ａ側に突出する突出傾斜部８１ｅが形成されている。これにより、入力ギア７２ａと、回転駆動力伝達機構６０および解除機構８０と、がフレーム５０を挟んで反対側に配置されている場合であっても、１つの解除機構８０によって、回転駆動力伝達機構６０の駆動力伝達の解除とニップ駆動力伝達機構７０の駆動力伝達の解除との両方を容易に行うことができる。
【００６３】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００６４】
例えば、カラープリンターに本発明を適用した例について示したが、本発明はこれに限らない。言うまでもなく、モノクロプリンター、カラー複写機、モノクロ複写機、デジタル複合機、ファクシミリ等の、搬送ローラー対と、搬送ローラー対に駆動力を伝達する駆動力伝達機構と、を備えた種々の画像形成装置に本発明を適用できる。
【００６５】
また、上記実施形態では、シートをニップして搬送する搬送ローラー対として定着ローラー対３０を用いた例について示したが、定着ローラー対３０以外の搬送ローラー対を用いてもよい。
【符号の説明】
【００６６】
３０  定着ローラー対（搬送ローラー対）
４０  押圧機構
５０  フレーム
５０ａ  一方面
５０ｂ  他方面
５０ｃ  開口部
５１  第１駆動モーター（第１駆動源）
５２  第２駆動モーター（第２駆動源）
６０  回転駆動力伝達機構
７０  ニップ駆動力伝達機構
７２ａ  入力ギア（上流側伝達部材）
７２ｂ  カップリング部（下流側伝達部材）
７２ｄ  軸部
８０  解除機構
８１  解除レバー
８１ｅ  突出傾斜部（傾斜部、突出部）
８１ｅａ  傾斜面
８２  第４付勢部材（解除バネ）
９２  当接片
１００  画像形成装置
１００ａ  カバー部材
Ｐ  用紙（シート）
【図１】
0006358205.tif 000002
【図２】
0006358205.tif 000003
【図３】
0006358205.tif 000004
【図４】
0006358205.tif 000005
【図５】
0006358205.tif 000006
【図６】
0006358205.tif 000007
【図７】
0006358205.tif 000008
【図８】
0006358205.tif 000009
【図９】
0006358205.tif 000010
【図１０】
0006358205.tif 000011
【図１１】
0006358205.tif 000012
【図１２】
0006358205.tif 000013
【図１３】
0006358205.tif 000014